(57)【要約】      （修正有）【課題】着脱の前後において長い頭髪に乱れが起きにくく、使用時に手間のかからないサンバイザーを提供する。【解決手段】頭髪を通すことのできる開口部４ａが後部に設けられてクラウン部４と、前記クラウン部の下部に設けられており、頭部を挟む帯状部６と、前記帯状部に設けられており、上下に位置を変更可能なツバ部２と、を備えてキャップ型サンバイザーを形成する。【選択図】図１
0003183603.tif 000002
【実用新案登録請求の範囲】
【請求項１】
頭髪を通すことのできる開口部が後部に設けられてクラウン部と、
前記クラウン部の下部に設けられており、頭部を挟む帯状部と、
前記帯状部に設けられており、上下に位置を変更可能なツバ部と、を含むこと、
を特徴とするキャップ型サンバイザー。
【請求項２】
前記帯状部のうちの内表面前方において、着脱可能に設けられた汗取りパッドを含むこと、を特徴とする請求項１に記載のキャップ型サンバイザー。
【請求項３】
前記帯状部のうちの内表面後方において、着脱可能に設けられた垂れ部を含むこと、を特徴とする請求項１又は２に記載のキャップ型サンバイザー。
【請求項４】
前記ツバ部が半透明であること、を特徴とする請求項１〜３のうちのいずれかに記載のキャップ型サンバイザー。
【考案の詳細な説明】
【技術分野】
【０００１】
本考案は、特に長い頭髪を有する女性等が快適に使用することのできるキャップ型サンバイザーに関する。
【背景技術】
【０００２】
従来から様々な構造を有する帽子が使用されており、なかでも太陽の光を効果的に遮断することができるサンバイザーは、特に主婦等の女性に頻繁に使用されている。
【０００３】
例えば、特許文献１（特許第４０１３２２９号明細書）においては、頭髪カバーをサンバイザー本体に強固に固定でき、サンバイザーを着脱する際に、そのたび毎に頭髪カバーをセットし直す必要がない便利な頭髪カバー付きサンバイザーが提案されている。
【０００４】
即ち、上記特許文献１は、具体的には、「鍔部とこの鍔部を取り付けるための帯状芯と前記帯状芯の外周に設けられたフックを有するサンバイザー本体と、外周に前記フックと結合するための弾性輪を形成した頭髪カバーとから構成され、帯状芯の外周にわたって弾性輪とフックとを結合させることにより頭髪カバーをサンバイザー本体に取り付けることを特徴とする。これにより、頭髪カバーがサンバイザー本体に強固に結合される。また、フックの先端に突起を形成することによって頭髪カバーをサンバイザー本体にさらに強固に結合することができる。」との開示がある。
【先行技術文献】
【特許文献】
【０００５】
【特許文献１】特許第４０１３２２９号明細書
【考案の概要】
【考案が解決しようとする課題】
【０００６】
しかしながら、上記特許文献１における頭髪カバー付きサンバイザーでは、長い頭髪をまとめて頭髪カバーに収納しなければならないという点で使用時に手間がかかり、また、まとめた頭髪には折り目等ができてしまうことから、頭髪カバー付きサンバイザーを脱いだ後には、頭髪が乱れてしまうという問題がある。
【０００７】
そこで、本考案の目的は、着脱の前後において長い頭髪に乱れが起きにくく、使用時に手間のかからないサンバイザーを提供することにある。
【課題を解決するための手段】
【０００８】
上記の課題を解決すべく、本考案者が鋭意検討した結果、クラウン部に特定の構造を持たせれば、着脱の前後において長い頭髪に乱れが起きにくく、使用時に手間のかからないサンバイザーを実現できることを見出し、本考案を完成するに至った。
【０００９】
本考案は、頭髪を通すことのできる開口部が後部に設けられてクラウン部と、前記クラウン部の下部に設けられており、頭部を挟む帯状部と、前記帯状部に設けられており、上下に位置を変更可能なツバ部と、を含むこと、を特徴とするキャップ型サンバイザーに関する。
【００１０】
上記の本考案に係るキャップ型サンバイザーは、前記帯状部のうちの内表面前方において、着脱可能に設けられた汗取りパッドを含むこと、が好ましい。
【００１１】
また、上記の本考案に係るキャップ型サンバイザーは、前記帯状部のうちの内表面後方において、着脱可能に設けられた垂れ部を含むこと、が好ましい。
【００１２】
更に、上記の本考案に係るキャップ型サンバイザーにおいては、前記ツバ部が半透明であること、が好ましい。
【考案の効果】
【００１３】
上記のような構成を有する本考案に係るキャップ型サンバイザーは、着脱の前後において長い頭髪に乱れが起きにくく、使用時に手間のかからないため、特に長い頭髪の女性等が好適に使用することができる。
【図面の簡単な説明】
【００１４】
【図１】本考案のキャップ型サンバイザーの一実施形態を後方からみた様子を示す図である。
【図２】図１に示すキャップ型サンバイザー１を矢印Ｘの方向からみた様子を示す図である。
【図３】図２に示すキャップ型サンバイザー１において、汗取りパッド８aを取り付けた様子を示す図である。
【図４】図１に示すキャップ型サンバイザー１において、垂れ部８ｂを取り付けた様子を示す図である。
【考案を実施するための形態】
【００１５】
以下、本考案の一実施形態に係るキャップ型サンバイザーについて、図面を参照しつつ詳細に説明する。
【００１６】
図１に示すように、本実施形態のキャップ型サンバイザー１は、頭髪を通すことのできる開口部４ａが後部に設けられてクラウン部４と、クラウン部４の下部に設けられており、頭部を挟む帯状部６と、帯状部６に設けられており、上下に位置を変更可能なツバ部２と、を含む。
【００１７】
クラウン部４は、本実施形態においては５枚の布部で構成されており、これら布部が縫製されてドーム状のクラウン部４を形成している。そして、キャップ型サンバイザー１の後方において、布部と布部との間に一部縫製していない部分が残されており、頭髪用の開口部４aを形成している。
【００１８】
長い頭髪を有するユーザーは、頭髪を頭部の後方で束ねてこの開口部４ａから外側に出すようにして、本実施形態のキャップ型サンバイザー１をかぶることができる。これにより、着脱の前後において長い頭髪に乱れが起きにくく、使用時には手間もかからない。
【００１９】
クラウン部４の下部に設けられている帯状部６は、頭を挟む方向に力がかかる構造を有している。即ち、帯状部６は、図２に示すように、頭部の後方に位置する部分（矢印Ｙで示される部分）において開いた略環状の形状を有し、例えば樹脂製の帯状体（カラー）で構成されており、広げようとするとその弾性力によって頭部を挟む方向に力がかかる構造を有している。帯状部６はその全体が布で覆われており、矢印Ｙで示される部分は手で拡げることが可能である。
【００２０】
帯状部６には、頭部の略両横に位置する部分において、留め部２ａによってツバ部２が回動可能に取り付けられている。これにより、ツバ部２は、上下方向において多段階的に位置を変更することが可能となっている。
【００２１】
ツバ部２は、その略全体が半透明であり、ユーザーが太陽の光を遮るためにツバ部２を下方向に下げたとしても、ツバ部２越しであっても良好な視界を確保することができる。
【００２２】
次に、本実施形態のキャップ型サンバイザー１においては、図２に示すように、帯状部６のうちの内表面前方に、面ファスナー６ａが取り付けられており、また、帯状部６のうちの内表面後方に、面ファスナー６ｂが取り付けられている。
【００２３】
この内表面前方の面ファスナー６ａには、図３に示すように、例えば布製の汗取りパッド８ａが着脱可能に取り付けられる。汗で汚れた際には、新しい汗取りパッド８ａと取り換えればよい。汗取りパッド８ａのうちの面ファスナー６ａに相対する位置には、図示しないが、面ファスナー６ａに付着する面ファスナーが取り付けられている（どちらが雄又は雌でもよい。）。
【００２４】
また、内表面後方の面ファスナー６ｂには、図４に示すように、例えば布製の垂れ部８ｂが着脱可能に取り付けられる。この垂れ部８ｂを取り付けることにより、後頭部に太陽の光が照射されるのを妨げて、熱中症等を防ぐことができる。垂れ部８ｂのうちの面ファスナー６ｂに相対する位置には、図示しないが、面ファスナー６ｂに付着する面ファスナーが取り付けられている（どちらが雄又は雌でもよい。）。
【００２５】
以上、本考案のキャップ型サンバイザーの一実施形態について説明したが、実用新案登録請求の範囲に規定される構成を具備すれば、種々の設計変更が可能であり、設計変更したものも当然に本考案の範囲に含まれる。
【符号の説明】
【００２６】
１・・・キャップ型サンバイザー、
２・・・ツバ部、
４・・・クラウン部、
４ａ・・・開口部、
６・・・帯状部、
６ａ、６ｂ・・・面ファスナー、
８ａ・・・汗取りパッド、
８ｂ・・・垂れ部。
【図１】
0003183603.tif 000003
【図２】
0003183603.tif 000004
【図３】
0003183603.tif 000005
【図４】
0003183603.tif 000006